(57)【特許請求の範囲】
【請求項１】
射出部に供給された打ち込みネジを被ねじ込み材のある下方に向けて打撃する打撃機構と、打撃した後に打込みネジを回転させて被ねじ込み材にねじ込むネジ回転機構とを備えたネジ打ち回し機に、上記射出部に沿って打ち込みネジの打ち込み方向に移動するコンタクトアームを設け、このコンタクトアームをその下端が打ち込みネジを打ち出す射出部の先端よりも先方に突出する方向に付勢し、上記下端を被ねじ込み材に押し付けることにより、上記コンタクトアームを、トリガレバーに装着されている作動プレートをネジ打ち回し機を起動させるのに有効な位置へ回動させる位置と上記ネジ回転機構を停止させる位置とに移動可能にしたネジ打ち回し機において、
上記コンタクトアームを上端部がトリガレバーの近傍に配置された上方アーム部と、下端が射出部の先端よりも先方に突出配置された下方アーム部とに２分割し、上方アーム部と下方アーム部との間にバネを配置し、このバネにより上方アーム部を下方アーム部に対して上方に付勢させるとともに、上記コンタクトアームの移動を、被ねじ込み材に押し付けてトリガレバーの操作を有効にするまでの第１段移動と、さらに上記ネジ回転機構を停止させるまでの第２段移動とに分け、第１段移動のときに上記バネのバネ力により上方アーム部を下方アーム部と一体的に作動させ、第２段移動のときには上記バネ力に抗して下方アーム部のみを作動させてこの下方アーム部によって上記回転機構を停止させるようにしたことを特徴とするネジ打ち回し機のコンタクトアーム機構。
【発明の詳細な説明】
【０００１】
【発明の属する技術分野】
本発明はネジ打ち回し機において、被ねじ込み材の感知機能とねじ込み用ドライバビットのネジ回転機構の停止機能とを有するコンタクトアーム機構の改善に関する。
【０００２】
【従来技術】
射出部に装填された打ち込みネジを被ねじ込み材に対してドライバビットで打撃する打撃機構と打ち込み後にドライバビットを回転させて打ち込みネジをねじ込むネジ回転機構とを備えたネジ打ち回し機には、被ねじ込み材に射出部の先端が当接したことを感知してネジ打ち回し機の起動用トリガレバーの操作を有効にするコンタクトアームが設けられている。このコンタクトアームはネジ打ち回し機に打ち込み方向に摺動可能に設けられ、その一端（下端）は射出部の先端よりも先方に突出し、他端（上端）はトリガレバーの近傍に位置するように配置されている。そして、コンタクトアームは、その下端を被ねじ込み材に押し付けることによりネジ打ち回し機に対して相対的に上方に移動させ、これによりコンタクトアームの上端がトリガレバーの起動操作を有効にして打撃機構を作動させるものであるから、安全装置として機能している。
【０００３】
また、コンタクトアームは、下端が射出部から突出する出量を調整することによって、打ち込みネジの打ち込み深さを調整する機能も有するので、所定の打ち込み深さに達したときにネジ回転機構の作動を停止させる機能も果たさせることもできる。
【０００４】
上記安全装置とネジ回転機構の作動停止という２つの機能を一体型のコンタクトアームで行なう場合には、コンタクトアームが二段に作動しなければならない。つまり、第１段目でトリガレバーの起動操作を有効にし、第２段目でネジ回転機構を停止させることが必要になる。
【０００５】
【発明が解決しようとする課題】
しかしながら、このような二段ストローク方式をとると、コンタクトアームの移動範囲が全体として大きくなるので、特にコンタクトアームの上端部が移動する部位には、周辺部品が干渉しないように逃がすための空間を大きくとならなければならず、その分だけ全長が長くなってしまうおそれがあるほか、トリガレバーが適切な位置に定まらなくなるという欠点がある。
【０００６】
本発明は上記欠点を解消し、コンタクトアームを二分割することにより、全長が長くなることのないネジ打ち回し機のコンタクトアーム機構を提供することをその課題とする。
【０００７】
【課題を解決するための手段】
前記課題を解決するため、本発明に係るネジ打ち回し機のコンタクトアーム機構は、射出部に供給された打ち込みネジを被ねじ込み材のある下方に向けて打撃する打撃機構と、打撃した後に打込みネジを回転させて被ねじ込み材にねじ込むネジ回転機構とを備えたネジ打ち回し機に、上記射出部に沿って打ち込みネジの打ち込み方向に移動するコンタクトアームを設け、このコンタクトアームをその下端が打ち込みネジを打ち出す射出部の先端よりも先方に突出する方向に付勢し、上記下端を被ねじ込み材に押し付けることにより、上記コンタクトアームを、トリガレバーに装着されている作動プレートをネジ打ち回し機を起動させるのに有効な位置へ回動させる位置と上記ネジ回転機構を停止させる位置とに移動可能にしたネジ打ち回し機において、  上記コンタクトアームを上端部がトリガレバーの近傍に配置された上方アーム部と、下端が射出部の先端よりも先方に突出配置された下方アーム部とに２分割し、上方アーム部と下方アーム部との間にバネを配置し、このバネにより上方アーム部を下方アーム部に対して上方に付勢させるとともに、上記コンタクトアームの移動を、被ねじ込み材に押し付けてトリガレバーの操作を有効にするまでの第１段移動と、さらに上記ネジ回転機構を停止させるまでの第２段移動とに分け、第１段移動のときに上記バネのバネ力により上方アーム部を下方アーム部と一体的に作動させ、第２段移動のときには上記バネ力に抗して下方アーム部のみを作動させてこの下方アーム部によって上記回転機構を停止させるようにしたことを特徴とする。
【０００８】
【発明の実施の形態】
図１はネジ打ち回し機を示すもので、このネジ打ち回し機はボディ１とグリップ２とマガジン３とを備え、ボディ１の下部の射出部４にはマガジン３から打ち込みネジ５が供給されるように構成するとともに、ボディ１内の打撃機構によって射出部４に供給された打ち込みネジ５を打撃して打込みネジ５の一部を被ねじ込み材に打ち込んだ後に、マガジン３の上部に配置されたネジ回転機構によって打撃された打ち込みネジ５を回転させて被ねじ込み材にねじ込むものである。
【０００９】
打撃機構は打撃シリンダ６に摺動可能に配置された打撃ピストン７に打ち回し用ビット８を一体結合し、トリガレバー９の起動操作に基づいてトリガバルブ１０とメインバルブ１１が作動してエアチャンバ１２に充填された圧縮空気を打撃シリンダ６内に供給して打撃ピストン７とともに打ち回し用ビット８を駆動して射出部４内の打込みネジ５を打撃するようにしたものである。
【００１０】
なお、打撃時に打撃ピストン７の下面側の空気は圧縮されてブローバックチャンバ１３に供給される。この圧縮空気はトリガレバー９の解放に伴って打撃ピストン７を上動させるとともに、後述のネジ送りシリンダ装置を作動させるのに用いられる。打撃機構とそれに伴う各種バルブ、トリガレバー、ネジ送りシリンダ装置等は従来の釘打機において知られた公知の機構である。
【００１１】
ネジ回転機構は、エアモータ１４を駆動源とし、エアモータ１４の出力軸１５に傘歯車１６と中間歯車１７と駆動歯車１８とを噛合連係させ、駆動歯車１８の中央に設けられた非円形の貫通孔１９に上記打ち回し用ビット８を嵌合させ、エアモータ１４の回転によって打ち回し用ビット８を回転駆動するものである。
【００１２】
次に、上記ネジ打ち回し機にはコンタクトアーム２０が設けられている。コンタクトアーム２０は上記射出部４に沿ってネジの打ち込み方向に摺動可能に設けられ、その下端は射出部４の先端よりも下方に突出するように付勢され、下端を被ねじ込み材に押し付けることにより、コンタクトアーム２０の上端をトリガレバー９の起動操作を有効にする位置に移動させるものである。
【００１３】
上記コンタクトアーム２０は図２のように上方アーム部２０ａと下方アーム部２０ｂとに２分割されている。上方アーム部２０ａは板状体で、２段に屈曲形成されている。下方アーム部２０ｂは３段に屈曲形成された棒状部分２１とその下端に形成されたヘッド部２２とから構成されている。ヘッド部２２は射出部４の下方に突出している。また、下方アーム部２０ｂはヘッド部２２とボディ１との間に設けられた第１のバネ２３により常時下方に付勢されている。上方アーム部２０ａの下端には下方アーム部２０ｂの上端が貫通する開口部２４が形成され、この開口部２４の周縁部と下方アーム部２０ｂの中途に形成された突部２５との間には第２のバネ２６が配置され、上方アーム部２０ａを常時上方に付勢している。
【００１４】
上方アーム部２０ａの上端部はトリガレバー９の側面の軸２７に巻き回された弦巻バネ２８の一端に係合している。弦巻バネ２８の他端は上記軸２７に回動自在に取り付けられた作動プレート２９に係合している。作動プレート２９の外周縁の一部は円弧状に形成され、通常は図１、図２のように軸２７から最も近い縁部がトリガバルブ１０のバルブステム３０に対向している。このとき、トリガレバー９を引き操作しても、バルブステム３０を押し込むことができないから、操作は無効となる。これに対し、上記弦巻バネ２８の一端を押し上げることにより作動プレート２９の軸２７から最も遠い縁部が上記バルブステム３０に対向するように回動する（図３参照）ので、トリガレバー９を引いて起動操作すると、バルブステム３０は有効に押し込まれる。
【００１５】
ところで、上記コンタクトアーム２０の作動と関連するものとしてストップバルブ３１とネジ送りシリンダ装置３２が設けられている。
【００１６】
ストップバルブ３１は下方アーム部２０ｂの上方で、上記エアモータ１４に圧縮空気を供給するエア供給通路３３の中途部に配置され、内部には上記エア供給通路３３を開閉するバルブ３４とバルブ３４を開閉作動させるバルブステム３５とを備えるとともに、バルブステム３５とともに作動するプッシュボタン３６が配置されている。プッシュボタン３６はバルブハウジング３７の下方に突出している。上記下方アーム部２０ｂの上端はストップバルブ３１の下方に突出したプッシュボタン３６に対向するように配置されている。
【００１７】
また、ネジ送りシリンダ装置３２は図１、図２に示されるようにマガジン３の一側部に配置されている。ネジ送りシリンダ３９にはピストンロッド４０が摺動可能に設けられ、外部に突出したピストンロッド４０の先端には送り爪４１が取り付けられ、送り爪４１は前方位置に突出するようにバネ付勢されている。ブローバックチャンバ１３から供給された圧縮空気によって送り爪４１を後退させ、上記圧縮空気の排気によって送り爪４１を前進させてマガジン３内の打ち込みネジ５を射出部４に供給するものである。ピストンロッド４０の先端には送り爪４１とともにストッパプレート４２が取り付けられている。このストッパプレート４２は送り爪４１が前端位置にあるときは、コンタクトアーム２０の下方のヘッド部２２の上端２２ａに係合するように設定されている。このため、コンタクトアーム２０はストッパプレート４２が前方位置にあるときはヘッド部２２が上記ストッパプレート４２に係合する位置まで移動（第１段移動）し、ストッパプレート４２が後退したときはさらにその上方まで移動（第２段移動）することができる。そして、第２段の移動のときは、下方アーム部２０ｂの上端がストップバルブ３１のプッシュボタン３６を押すように構成されている。
【００１８】
前記構成において、上記ネジ打ち回し機によって打ち込みネジ５をねじ込むときは、まず図３のようにコンタクトアーム２０の下端のヘッド部２２を被ねじ込み材４３に押し付ける。これにより、第１のバネ２３に抗して下方アーム部２０ｂはボディ１に対して相対的に上昇する。このとき、ネジ送りシリンダ装置３２のストッパプレート４２は前方位置にあるので、コンタクトアーム２０は第１段移動で停止する。下方アーム部２０ｂとともに上方アーム部２０ａも第２のバネ２６により上方に一体的に移動するので、その上端はトリガレバー９の弦巻バネ２８を押し上げて作動プレート２９を回動させる。その後にトリガレバー９を引くことにより初めて図１のトリガバルブ１０が有効に押し込まれ、ネジ打ち回し機の打撃機構が作動し、射出部４内の打ち込みネジ５が打ち出され、その一部が被ねじ込み材４３中に打ち込まれる。続いて打撃機構が作動したときの信号によりエアモータ１４が作動し、駆動歯車１８が回転して打ち回し用ビット８を回転させるので、打ち込みネジ５が被ねじ込み材４３中にねじ込まれる。
【００１９】
また、打撃機構が作動すると、打撃ピストン７の下面側の圧縮空気はブローバックチャンバ１３に供給されて充満し、さらに図示しない配管を通り、一方でエアモータ１４を作動させ、また図４に示されるようにネジ送りシリンダ装置３２に供給されて送り爪４１を作動させる。これによりストッパプレート４２が後退するので、コンタクトアーム２０のヘッド部２２との係合が外れ、コンタクトアーム２０は第２段移動に移行する。そして、打ち込みネジ５がねじ込まれるにつれて、相対的に第２のバネ２６に抗して下方アーム部２０ｂは上昇していく。このとき、図４に示されるように、上方アーム部２０ａは、上方アーム部２０ａに形成されている当接部２０ａａとボディ１側の突き当て部１ａとが当接しているので、上方移動しない。所定のねじ込み深さまでねじ込まれると、下方アーム部２０ｂの上端がストップバルブ３１のプッシュボタン３６を押すので、ストップバルブ３１のバルブステム３０が押し込まれ、空間部４４（図３参照）内のエアが排出されてバルブ３４が下動する。これにより、エアチャンバ１２からエアモータ１４に通じるエア供給通路３３が遮断され、エアモータ１４の作動が停止し、ねじ込みが終了する。
【００２０】
その後、ネジ打ち回し機を被ねじ込み材４３から離してトリガレバー９を解放することにより、コンタクトアーム２０は一体的にボディ１に対して元の下方位置に移動し、ストップバルブ３１のバルブステム３５もバネにより下降し、上記空間部４４に圧縮空気が溜るからその空気圧によりバルブ３４が上昇して図１の状態に復帰する。同時にブローバックチャンバ１３からの排気に伴ってバネ付勢が勝ってネジ送りシリンダ装置３２の送り爪４１が前進して図１の状態になる。
【００２１】
上述のように、コンタクトアーム２０が２分割され、第１段移動のときには一体的に移動するが、第２段移動のときには下方アーム部２０ｂのみが移動し、上方アーム部２０ａは移動しないので、ネジ打ち回し機の全長が長くなることがない。
【００２２】
また、第２段移動のときには上方アーム部２０ａは作動しないので、トリガレバー９を所定の位置に保持しておくことができる。
【００２３】
なお、ネジ回転機構はエアモータ１４に限定されない。打ち込みネジ５を回転させる機構であれば他の構成であってもよい。したがって、下方アーム部２０ｂもエア供給通路３３を開閉するストップバルブ３１を作動するものに限定されない。
【図面の簡単な説明】
【図１】本発明に係るネジ打ち回し機の縦断面図
【図２】上記ネジ打ち回し機のコンタクトアーム機構を示す説明図
【図３】コンタクトアームが第１段移動したときの作動説明図
【図４】コンタクトアームが第２段移動したときの作動説明図
【符号の説明】
４  射出部
５  打ち込みネジ
９  トリガレバー
２０  コンタクトアーム
２０ａ  上方アーム部
２０ｂ  下方アーム部
【図１】
0003632296.tif 000002
【図２】
0003632296.tif 000003
【図３】
0003632296.tif 000004
【図４】
0003632296.tif 000005